【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに遊技者にとって有利な特定遊技状態に移行させ、所定の移行条件が成立したときに通常状態であるときに比べて識別情報の可変表示が前記特定表示結果となりやすい特別遊技状態に移行させる遊技機であって、
遊技の進行を制御する遊技制御手段と、
前記遊技制御手段からのコマンドにもとづいて前記可変表示部の表示状態を制御する演出制御手段とを備え、
前記遊技制御手段は、
前記特定遊技状態に移行させるか否かと、前記移行条件を成立させるか否かと、前記特定遊技状態に移行後の所定の時期に前記移行条件が成立したか否かを報知する報知演出を実行するか否かとを、前記可変表示部に表示結果が導出表示される前に決定する事前決定手段と、
前記事前決定手段の決定結果にもとづいて、前記可変表示部における識別情報の可変表示を開始してから表示結果を導出表示するまでの可変表示時間を特定可能な可変表示コマンドと、前記可変表示部に導出表示される表示結果を特定可能な表示結果コマンドとを送信し、前記特定遊技状態が終了するときに特定遊技状態終了コマンドを送信するコマンド送信手段とを含み、
前記コマンド送信手段は、
前記可変表示コマンドまたは前記表示結果コマンドに、前記特定遊技状態に移行後の所定の時期に前記移行条件が成立したことを報知する報知演出を実行するか否かを特定可能な情報を含めて送信し、
前記特定遊技状態終了コマンドに、前記特定遊技状態が終了するときに前記移行条件が成立したことを報知する報知演出を実行するか否かを特定可能な情報を含めて送信し、
前記演出制御手段は、
前記コマンド送信手段により送信された前記可変表示コマンドにもとづいて前記可変表示部において識別情報の可変表示を実行し、該可変表示コマンドで特定される可変表示時間が経過したら前記表示結果コマンドで特定される識別情報を導出表示する可変表示実行手段と、
前記コマンド送信手段により送信された前記可変表示コマンドまたは前記表示結果コマンドが前記報知演出を実行することを示しているときに、前記所定の時期に、前記報知演出を実行する報知演出実行手段と、
前記可変表示コマンドまたは前記表示結果コマンドが前記報知演出を実行することを示しているときに、複数種類の前記報知演出のうちから実行する前記報知演出の種類を選択する演出種類選択手段とを含み、
前記演出種類選択手段は、前記事前決定手段が前記移行条件を成立させると決定したときには、該事前決定手段が前記移行条件を成立させないと決定したときに比べて、特定の種類の前記報知演出を、他の前記報知演出よりも高い割合で選択し、
前記可変表示コマンドまたは前記表示結果コマンドとして、前記特定遊技状態中に前記報知演出を実行することを特定可能な情報を含むコマンドと、前記特定遊技状態終了後に前記報知演出を実行することを特定可能な情報を含むコマンドとが定められ、
前記報知演出実行手段は、
前記可変表示コマンドまたは前記表示結果コマンドに前記特定遊技状態終了後に前記報知演出を実行することを特定可能な情報が含まれているときには、該可変表示コマンドまたは該表示結果コマンドに前記報知演出により前記移行条件を成立させることを報知することを示す情報が含まれていても、前記特定遊技状態中に前記移行条件が成立したことを報知する結果の前記報知演出を行わず、
前記特定遊技状態終了コマンドが前記報知演出を実行することを示しているときに、前記特定遊技状態終了後に前記報知演出を実行する
ことを特徴とする遊技機。
【手続補正２】
【補正対象書類名】明細書
【補正対象項目名】００１０
【補正方法】変更
【補正の内容】
【００１０】
本発明による遊技機は、各々を識別可能な複数種類の識別情報（例えば、特別図柄や飾り図柄）の可変表示を行い表示結果を導出表示する可変表示部（例えば、特別図柄表示器８や可変表示装置９）を備え、可変表示部に特定表示結果（例えば、大当り図柄）が導出表示されたときに遊技者にとって有利な特定遊技状態（例えば、大当り遊技状態）に移行させ、所定の移行条件（例えば、抽選の結果確変大当りとすることに決定されたこと）が成立したときに通常状態であるときに比べて識別情報の可変表示が特定表示結果となりやすい特別遊技状態（例えば、確変状態）に移行させる遊技機であって、遊技の進行を制御する遊技制御手段（例えば、ＣＰＵ５６を含む遊技制御用マイクロコンピュータ５６０）と、遊技制御手段からのコマンドにもとづいて可変表示部の表示状態を制御する演出制御手段（例えば、演出制御用ＣＰＵ１０１を含む演出制御用マイクロコンピュータ１００）とを備え、遊技制御手段は、特定遊技状態に移行させるか否かと、移行条件を成立させるか否かと、特定遊技状態に移行後の所定の時期（例えば、大当り遊技が終了したとき。）に移行条件が成立したか否かを報知する報知演出（例えば、昇格演出）を実行するか否かとを、可変表示部に表示結果が導出表示される前に決定する事前決定手段（例えば、遊技制御用マイクロコンピュータ５６０においてステップＳ５６，Ｓ９４，Ｓ９６の処理を実行する部分）と、事前決定手段の決定結果にもとづいて、可変表示部における識別情報の可変表示を開始してから表示結果を導出表示するまでの可変表示時間を特定可能な可変表示コマンド（例えば、変動パターンコマンド）と可変表示部に導出表示される表示結果を特定可能な表示結果コマンド（例えば、図柄特定／演出指定コマンド）とを送信し、特定遊技状態が終了するときに特定遊技状態終了コマンドを送信するコマンド送信手段（例えば、遊技制御用マイクロコンピュータ５６０においてステップＳ２０５およびステップＳ９８，Ｓ１００，Ｓ１０２，Ｓ１０３，Ｓ１１４，Ｓ１１６，Ｓ１１８，Ｓ１１９の処理を実行する部分）とを含み、コマンド送信手段は、可変表示コマンドまたは表示結果コマンドに、特定遊技状態に移行後の所定の時期に移行条件が成立したことを報知する報知演出を実行するか否か（例えば、報知演出を実行する場合には「かつ大当り中昇格演出指定」、「かつ大当り後昇格演出指定」または「かつ大当り中／大当り後昇格演出指定」を含む図柄特定／演出指定コマンドを送信し、報知演出を実行しない場合には「かつ大当り中演出指定」、「かつ大当り後昇格演出指定」および「かつ大当り中／大当り後昇格演出指定」を含まない図柄特定／演出指定コマンドを送信）を特定可能な情報を含めて送信し、特定遊技状態終了コマンドに、特定遊技状態が終了するときに移行条件が成立したことを報知する報知演出を実行するか否かを特定可能な情報を含めて送信し、演出制御手段は、コマンド送信手段により送信された可変表示コマンドにもとづいて可変表示部において識別情報の可変表示を実行し、可変表示コマンドで特定される可変表示時間が経過したら表示結果コマンドで特定される識別情報を導出表示する可変表示実行手段（例えば、演出制御用マイクロコンピュータ１００においてステップＳ８０２，Ｓ８０３，Ｓ８０４の処理を実行する部分）と、コマンド送信手段により送信された可変表示コマンドまたは表示結果コマンドが報知演出を実行することを示しているときに、所定の時期に、報知演出を実行する報知演出実行手段（例えば、演出制御用マイクロコンピュータ１００においてステップＳ８７７〜Ｓ８７９の処理、およびＳ８６６〜Ｓ８７１の処理を実行する部分）と、可変表示コマンドまたは表示結果コマンドが報知演出を実行することを示しているときに、複数種類の報知演出のうちから実行する報知演出の種類を選択する演出種類選択手段とを含み、演出種類選択手段は、事前決定手段が移行条件を成立させると決定したときには、事前決定手段が移行条件を成立させないと決定したときに比べて、特定の種類の報知演出（例えば、図７（Ｃ）に示す「大当り遊技中及び遊技後に実行される昇格演出」）を、他の報知演出よりも高い割合で選択し、可変表示コマンドまたは表示結果コマンドとして、特定遊技状態中に報知演出を実行することを特定可能な情報を含むコマンドと、特定遊技状態終了後に報知演出を実行することを特定可能な情報を含むコマンドとが定められ、報知演出実行手段は、可変表示コマンドまたは表示結果コマンドに特定遊技状態終了後に報知演出を実行することを特定可能な情報が含まれているときには、該可変表示コマンドまたは該表示結果コマンドに報知演出により移行条件を成立させることを報知することを示す情報が含まれていても、特定遊技状態中に移行条件が成立したことを報知する結果の報知演出を行わず、特定遊技状態終了コマンドが報知演出を実行することを示しているときに、特定遊技状態終了後に報知演出を実行することを特徴とする。
【手続補正３】
【補正対象書類名】明細書
【補正対象項目名】００１１
【補正方法】変更
【補正の内容】
【００１１】
請求項１記載の発明では、コマンド送信手段は、可変表示コマンドまたは表示結果コマンドに、特定遊技状態に移行後の所定の時期に移行条件が成立したことを報知する報知演出を実行するか否かを特定可能な情報を含めて送信し、演出種類選択手段は、事前決定手段が移行条件を成立させると決定したときには、事前決定手段が移行条件を成立させないと決定したときに比べて、特定の種類の報知演出を、他の報知演出よりも高い割合で選択するように構成されているので、報知演出に関するコマンド数を低減して、既に移行条件を成立したことが報知されているにも関わらず、報知演出が継続されてしまう可能性を低減することができる。また、演出制御手段が報知演出の種類を選択するので、遊技制御手段の制御負担が軽減される。また、報知演出実行手段は、可変表示コマンドまたは表示結果コマンドに特定遊技状態終了後に報知演出を実行することを特定可能な情報が含まれているときには、該可変表示コマンドまたは該表示結果コマンドに報知演出により移行条件を成立させることを報知することを示す情報が含まれていても、特定遊技状態中に移行条件が成立したことを報知する結果の報知演出を行わないように構成されているので、移行条件を成立させることを報知する報知演出が実行された後に再度報知演出が実行されることはなく、遊技者に違和感を与えないようにすることができる。